(57)【要約】  【課題】変形を防止しつつ、足の設置場所に関するレイアウト上の制約がない画像形成装置の構造体を提供する。  【解決手段】前ベース２２及び後ベース２３と、前ベース２２と後ベース２３とを接続するステー材２５と、ステー材２５に支持される大質量の側板２６とを有し、ステー材２５は側板２６の質量を全幅にわたって受ける形状となるように形成されている画像形成装置の構造体２１。【選択図】図２
2015125152.tif 000002
【特許請求の範囲】
【請求項１】
前ベース及び後ベースと、
前記前ベースと前記後ベースとを接続するステー材と、
前記ステー材に支持される大質量の側板とを有し、
前記ステー材は前記側板の質量を全幅にわたって受ける形状となるように形成されている画像形成装置の構造体。
【請求項２】
請求項１記載の画像形成装置の構造体において、
前記ステー材はその全幅が装置奥行き方向の長さと等しく形成されていることを特徴とする画像形成装置の構造体。
【請求項３】
請求項１または２記載の画像形成装置の構造体において、
前記ステー材はＬ字形状であることを特徴とする画像形成装置の構造体。
【請求項４】
請求項１ないし３の何れか一つに記載の画像形成装置の構造体において、
前記ステー材の下部には保持部材が設けられていることを特徴とする画像形成装置の構造体。
【発明の詳細な説明】
【技術分野】
【０００１】
本発明は、複写機、ファクシミリ、スキャナ等の画像形成装置の構造体に関する。
【背景技術】
【０００２】
図７に従来の画像形成装置における構造体１の概略を、図８に構造体ベース部をそれぞれ示す。この画像形成装置はコストダウンを目的として、前ベース２、後ベース３を右ステー４と左ステー５とによってねじ締結で組みつけられることにより構成されている。後ベース３には後側板６が組みつけられ、後側板６が倒れないように右後フレーム７と左後フレーム８が後ベース３と後側板６に組みつけられている。前ベース２には右前フレーム９と左前フレーム１０とが組みつけられ、右前フレーム９と左前フレーム１０とに前側板１１が組みつけられている。そして、前側板１１と後側板６とに各種ステー類が組みつけられている。
【０００３】
左ステー５は、上述のように前ベース２及び後ベース３と締結されているが、後側板６と左前フレーム１０とも組みつけられている。そして左後フレーム８は後側板６の後方に位置し、後側板６と後ベース３に組みつけられている。よって、後側板６を境に前側に左ステー５、後側に左後フレーム８が設けられている。
【発明の概要】
【発明が解決しようとする課題】
【０００４】
図９に示すように、後側板６には給紙搬送装置や現像装置、感光体、トナー補給装置、廃トナー回収装置等のユニット類の駆動ユニット１２、電装系１３等が取り付けられることで質量が増大してしまうが、補強となる左ステー５と左後フレーム８は後側板６を境に前後に設けられているため、後側板６の質量に耐えられず一点鎖線で示すように変形してしまう場合があった。また変形を防止するため、図１０に示すようにゴム製の足１４を後側板６の真下近傍に設けなくてはならず、足１４のレイアウトも制約されていた。  
本発明は上述の問題点を解決し、変形を防止しつつ、足の設置場所に関するレイアウト上の制約がない画像形成装置の構造体の提供を目的とする。
【課題を解決するための手段】
【０００５】
請求項１記載の発明は、前ベース及び後ベースと、前記前ベースと前記後ベースとを接続するステー材と、前記ステー材に支持される大質量の側板とを有し、前記ステー材は前記側板の質量を全幅にわたって受ける形状となるように形成されていることを特徴とする。
【発明の効果】
【０００６】
本発明によれば、ステー材の中ほどに側板が位置しステー材が側板の質量を全幅にわたって受けるので、側板に大荷重がかかってもベース部が大きく変形しないため、構造体の変形を防止することができる。
【図面の簡単な説明】
【０００７】
【図１】本発明の一実施形態を適用可能な画像形成装置の概略正面図である。
【図２】本発明の一実施形態に用いられる構造体の概略斜視図である。
【図３】本発明の一実施形態に用いられる構造体の概略斜視図である。
【図４】本発明の一実施形態に用いられるベース部の概略斜視図である。
【図５】本発明の一実施形態に用いられるステー材の概略側面図である。
【図６】本発明の一実施形態に用いられる足を説明する概略図である。
【図７】従来の構造体を説明する概略図である。
【図８】従来のベース部を説明する概略図である。
【図９】従来の問題点を説明する概略図である。
【図１０】従来の問題点を説明する概略図である。
【発明を実施するための形態】
【０００８】
図１は、本発明の一実施形態を適用可能な画像形成装置としてのフルカラー複写機を示している。同図においてフルカラー複写機８００は、画像読取部１００で得られた画像信号を図示しない感光体、帯電装置、現像装置、クリーニング装置等を一体化した作像ユニット３００において顕像化させている。顕像化された画像は中間転写ユニット４００に一時的に転写され、２次転写ローラ５００によって給紙装置２００から搬送された図示しない転写紙に２次転写される。画像が転写された転写紙は定着装置６００に送られて画像を定着された後、排紙トレイ７００上に排出される。
【０００９】
図２はフルカラー複写機８００の構造体である装置本体２１を左後方から見た斜視図を、図３は装置本体２１を左前方から見た斜視図をそれぞれ示している。また、図４は装置本体２１の底部を構成するベース部を示している。図４に示すように、このフルカラー複写機８００も従来機と同様にコストダウンを目的として、前ベース２２及び後ベース２３が右ステー２４とステー材である左ステー２５とに対してねじ締結で組みつけられることにより構成されている。
【００１０】
大質量の側板である後側板２６は後ベース２３に締結されており、右後部側では右後フレーム２７が後ベース２３と後側板２６とに組みつけられている。また、左後部側において、左後フレーム２８が左ステー２５と後側板２６とに組みつけられている。そして、図２に示すように、左ステー２５にはその中ほどに位置するように後側板２６が組みつけられ、この後側板２６に後ベース２３が組みつけられている。図２及び図３において、符号２９は前ベース２２に締結された右前フレームを、符号３０は前ベース２２に締結された左前フレームを、符号３１は右前フレーム２９及び左前フレーム３０に組みつけられた前側板をそれぞれ示している。
【００１１】
上述の構成により、左ステー２５の中ほどに後側板２６が位置し左ステー２５が後側板２６の質量を全幅にわたって受けるので、後側板２６に大荷重がかかってもベース部が大きく変形しないため装置本体２１の変形を防止することができる。
【００１２】
また、図４に示すように、左ステー２５は後ベース２３の幅方向全域にわたる大きさを有し、後側板２６よりも後方はレイアウトが可能な限り後方に伸ばされ、その全幅が装置奥行き方向の長さと等しくなるように形成されている。この構成により、左ステー２５と後ベース２３との締結点を増加させることができ、より一層装置本体２１の変形を防止することができる。
【００１３】
また左ステー２５は、後側板２６側からの側面視において図５に示すようなＬ字形状を呈している。これより、底部２５ａは上述したように前ベース２２、後ベース２３、後側板２６に組みつけられ、側部２５ｂは後側板２６、左前フレーム３０の横方向からも固定される。この構成により、左ステー２５は前ベース２２及び後ベース２３に固定するだけでなく後側板２６や他のフレームに横方向から締結可能となるため、より一層装置本体２１の変形を防止できると共に、前側板３１及び後側板２６の倒れを防止できる。
【００１４】
さらに、左ステー５の下方には、図６に示すように保持部材としての足３２が取り付けられている。この構成より、従来機に比して足３２の設置場所に関するレイアウト上の制約がなくなり、前後の足３２の間隔をできる限り大きくとることができるため、装置本体２１を安定した状態で保持することが可能となる。
【００１５】
以上、本発明の好ましい実施の形態について説明したが、本発明は上述した特定の実施形態に限定されるものではなく、上述の説明で特に限定していない限り、特許請求の範囲に記載された本発明の趣旨の範囲内において、種々の変形・変更が可能である。
【００１６】
例えば、本発明を適用する画像形成装置は、上述のタイプの画像形成装置に限らず、他のタイプの画像形成装置であってもよい。すなわち、本発明を適用する画像形成装置は、プリンタ、ファクシミリの単体、あるいはこれらの複合機、これらに関するモノクロ機等の複合機であってもよい。その他、本発明を適用する画像形成装置は、電気回路形成に用いられる画像形成装置、バイオテクノロジー分野において所定の画像を形成するのに用いられる画像形成装置であっても良い。
【００１７】
本発明の実施の形態に記載された効果は、本発明から生じる最も好適な効果を列挙したに過ぎず、本発明による効果は、本発明の実施の形態に記載されたものに限定されるものではない。
【符号の説明】
【００１８】
２１  構造体（装置本体）
２２  前ベース
２３  後ベース
２５  ステー材（左ステー）
２６  大質量の側板（後側板）
３２  保持部材（足）
【先行技術文献】
【特許文献】
【００１９】
【特許文献１】特開２００５−３１３６４号公報
【図１】
2015125152.tif 000003
【図２】
2015125152.tif 000004
【図３】
2015125152.tif 000005
【図４】
2015125152.tif 000006
【図５】
2015125152.tif 000007
【図６】
2015125152.tif 000008
【図７】
2015125152.tif 000009
【図８】
2015125152.tif 000010
【図９】
2015125152.tif 000011
【図１０】
2015125152.tif 000012